(57)【要約】【課題】施術子の運動を頭皮側に効率的に伝達し、頭皮に効果的な刺激を付与することができる頭皮ケア装置を提供する。【解決手段】モータ１２の駆動に基づいて回転する回転体１５に対し、その第１回転軸１５ａ周りを４つの突起２２を有する施術子２０が周回するように回転体１５の回転中心から径方向にずらして回転自在に設置される。そして、施術子２０の突起２２の先端部２２ａに設けられた凹部２２ｂによる吸着構造にて、突起２２の先端部２２ａが使用者の頭皮に密着する構成とした。【選択図】図２
2011115379.tif 000002
【特許請求の範囲】
【請求項１】
使用者の頭皮に接触させる可撓性を有する突起を備えた施術子を駆動源の駆動にて回転させ、突起に接触する頭皮部分に刺激を与える頭皮ケア装置であって、
前記駆動源の駆動に基づいて回転する回転体に対し、その回転軸周りを前記突起が周回するように前記施術子が前記回転体の回転中心から径方向にずらして回転自在に設置されるとともに、前記施術子の突起の先端部が使用者の頭皮に密着する密着手段が設けられたことを特徴とする頭皮ケア装置。
【請求項２】
請求項１に記載の頭皮ケア装置において、
前記密着手段は、前記突起の先端部に設けられた凹部による吸着構造にて構成されたことを特徴とする頭皮ケア装置。
【請求項３】
請求項１又は２に記載の頭皮ケア装置において、
前記突起は、先細形状にて構成されたことを特徴とする頭皮ケア装置。
【請求項４】
請求項１〜３のいずれか１項に記載の頭皮ケア装置において、
前記突起は、その先端部が本体部よりも軟性の弾性体とし、頭皮接触時の先端部の弾性変形にて頭皮に密着するように構成されたことを特徴とする頭皮ケア装置。
【請求項５】
請求項１〜４のいずれか１項に記載の頭皮ケア装置において、
前記密着手段は、前記突起に設けた吸引口からの吸引にて使用者の頭皮との密着を図る吸引手段にて構成されたことを特徴とする頭皮ケア装置。
【発明の詳細な説明】
【技術分野】
【０００１】
本発明は、頭皮の活性化や育毛を図る頭皮ケア装置に関するものである。
【背景技術】
【０００２】
頭皮ケア装置においては、従来から、ブラシを用いて手動により頭皮をタッピングすることで頭皮のマッサージを行うものや、電動で行うものとしては、ブラシを頭皮表面に接触させて運動を行うブラシ駆動機構を備えたものが知られている。
【０００３】
例えば特許文献１に示される電動の頭皮ケア装置は、頭皮を刺激する複数の突起を備えたブラシ体（施術子）をモータの回転軸が偏心位置に連結された回転具に隙間を以て装着されてなる。そして、モータの駆動により回転具を回転させることによって、頭皮に当接させたブラシ体を回転させずに揺動するような円運動を行わせ、これにより頭皮からの汚れ物質の除去やマッサージ等が可能となっている。
【先行技術文献】
【特許文献】
【０００４】
【特許文献１】特開平７−２１３３２８号公報
【発明の概要】
【発明が解決しようとする課題】
【０００５】
ところで、モータの駆動によるブラシ体の所定の運動は、ブラシ体に備えられた突起の先端部が頭皮に接触することでその頭皮側に伝達されるが、突起の先端部と頭皮との密着性が低いとブラシ体の運動が頭皮側に効率的に伝達されず、頭皮に効果的な刺激を与えることができないという問題があった。
【０００６】
本発明は、上記課題を解決するためになされたものであって、その目的は、施術子の運動を頭皮側に効率的に伝達し、頭皮に効果的な刺激を付与することができる頭皮ケア装置を提供することにある。
【課題を解決するための手段】
【０００７】
上記課題を解決するために、使用者の頭皮に接触させる可撓性を有する突起を備えた施術子を駆動源の駆動にて回転させ、突起に接触する頭皮部分に刺激を与える頭皮ケア装置であって、前記駆動源の駆動に基づいて回転する回転体に対し、その回転軸周りを前記突起が周回するように前記施術子が前記回転体の回転中心から径方向にずらして回転自在に設置されるとともに、前記施術子の突起の先端部が使用者の頭皮に密着する密着手段が設けられたことをその要旨とする。
【０００８】
この発明では、駆動源の駆動に基づいて回転する回転体に対し、その回転軸周りを突起が周回するように施術子が回転体の回転中心から径方向にずらして回転自在に設置されるとともに、施術子の突起の先端部が使用者の頭皮に密着する密着手段が設けられる。このため、施術子の突起の先端部と頭皮との密着性が高まり、突起の先端部を頭皮に密着させながら回転体の回転軸周りを突起が周回するように円運動を行うことで、施術子の運動を頭皮側に効率的に伝達し、頭皮に効果的な刺激を付与することが可能となる。
【０００９】
請求項２に記載の発明は、請求項１に記載の頭皮ケア装置において、前記密着手段は、前記突起の先端部に設けられた凹部による吸着構造にて構成されたことをその要旨とする。
【００１０】
この発明では、密着手段は、突起の先端部に設けられた凹部による吸着構造にて構成されるため、突起の吸着により頭皮に対する密着性が増し、より効果的な刺激を頭皮に付与することが可能となる。
【００１１】
請求項３に記載の発明は、請求項１又は２に記載の頭皮ケア装置において、前記突起は、先細形状にて構成されたことをその要旨とする。
この発明では、突起は、先細形状にて構成されるため、使用者の髪を掻き分けて頭皮に到達し易くなり、より好適に頭皮に密着可能となる。
【００１２】
請求項４に記載の発明は、請求項１〜３のいずれか１項に記載の頭皮ケア装置において、前記突起は、その先端部が本体部よりも軟性の弾性体とし、頭皮接触時の先端部の弾性変形にて頭皮に密着するように構成されたことをその要旨とする。
【００１３】
この発明では、突起は、その先端部が本体部よりも軟性の弾性体とし、頭皮接触時の先端部の弾性変形にて頭皮に密着するように構成される。このため、突起の先端部が頭皮に接触すると弾性変形にて先端部が潰れて頭皮に接触し、突起の先端部と頭皮との接触面が増加して頭皮に対する密着性が増し、突起がより好適に頭皮に密着可能となる。また、突起を先細形状にすることが可能となるため、突起が使用者の髪を掻き分けて頭皮に到達し易くなり、頭皮に対する密着性をさらに高めることが期待できる。
【００１４】
請求項５に記載の発明は、請求項１〜４のいずれか１項に記載の頭皮ケア装置において、前記密着手段は、前記突起に設けた吸引口からの吸引にて使用者の頭皮との密着を図る吸引手段にて構成されたことをその要旨とする。
【００１５】
この発明では、密着手段は、突起に設けた吸引口からの吸引にて使用者の頭皮との密着を図る吸引手段にて構成されるため、突起と頭皮との密着性が増し、より効果的な刺激を頭皮に付与することが可能となる。
【発明の効果】
【００１６】
本発明によれば、施術子の運動を頭皮側に効率的に伝達し、頭皮に効果的な刺激を付与することができる頭皮ケア装置を提供することができる。
【図面の簡単な説明】
【００１７】
【図１】（ａ）は本実施形態における頭皮ケア装置を示す斜視図であり、（ｂ）は本実施形態における突起の断面図である。
【図２】本実施形態における頭皮ケア装置の断面図である。
【図３】別例における施術子の斜視図である。
【図４】（ａ）（ｂ）は別例における突起の断面図である。
【図５】別例における施術子の断面図である。
【発明を実施するための形態】
【００１８】
以下、本発明を具体化した一実施形態を図面に従って説明する。
図１（ａ）は、本実施形態における頭皮ケア装置１の斜視図である。頭皮ケア装置１は、外観が略直方体状のハウジング１０と、このハウジング１０の上部に構成される略円柱状の施術子２０とからなる。ハウジング１０の側面１０ａには使用者が頭皮ケア装置１のオンオフ操作を行うスイッチ１１が設けられている。
【００１９】
ハウジング１０の内部には、図２に示すようにモータ１２が収容されており、該モータ１２はハウジング１０に収容される制御部１３と電気的に接続されている。制御部１３は、該制御部１３の上部に配置される電源部１４及びスイッチ１１と電気的に接続されている。
【００２０】
モータ１２のモータ軸１２ａの先端には駆動ギヤ１２ｂが取り付けられ、この駆動ギヤ１２ｂは円盤状の回転体１５を回転させるための第１回転軸１５ａの下端に取り付けられた第１ギヤ１５ｂと噛合される。この第１回転軸１５ａは、ハウジング１０の上面１０ｂの開口部１０ｃに設けられたベアリング１６にて回転可能に支持されてハウジング１０から突出し、第１回転軸１５ａは回転体１５の円中心に設けられた貫通孔１５ｃに挿通固定されている。回転体１５の上面１５ｄには、回転体１５に回転中心から径方向にずれた位置にベアリング２１が支持されていて、このベアリング２１にて施術子２０が回転自在に支持されている。従って、施術子２０は、回転体１５の回転に基づいて第１回転軸１５ａ周りを周回するように動作し、また頭皮に当接させた時の施術子２０がその周回動作で連れ回りしないようになっている。尚、本実施形態では、回転体１５の第１回転軸線Ｌ１と施術子２０の第２回転軸線Ｌ２との間は約５ｍｍとなるように設定されている。
【００２１】
施術子２０は、上面（カバー２３の上面２３ａ）がハウジング１０の上面１０ｂと平行となるように支持されていて、その上面に対して垂直方向に略円錐状の４つの突起２２が立設されている。各突起２２は、第２回転軸線Ｌ２（回転中心）を中心とした同一円周上に等角度間隔に配置されている。この突起２２は、高さが例えば１０ｍｍに設定され、可撓性を有する弾性体にて構成されていて、突起２２の先端部２２ａには中央に向かって半円状に凹んだ凹部２２ｂ（図１（ｂ）参照）を有する。この凹部２２ｂは、吸着構造を構成するものであり、頭皮に押付けると自身の弾性にて頭皮に吸着（密着）するようになっている。施術子２０は、上面２３ａと該上面２３ａの縁部から垂設された側壁２３ｂとを有するカバー２３にて外周が覆われ、突起２２に対応する部分に開口された挿通孔２３ｃ（図１（ａ）参照）から突起２２が突出するようになっている。
【００２２】
スイッチ１１が使用者によってオン操作されると、制御部１３はそのスイッチ１１からのオン操作信号の入力に基づいて、電源部１４からモータ１２を回転駆動させるための電力をモータ１２に供給する。モータ１２はその電力供給に基づいてモータ軸１２ａを回転させ、モータ軸１２ａの先端に取り付けられた駆動ギヤ１２ｂ及び該駆動ギヤ１２ｂと噛合する第１ギヤ１５ｂを介して第１回転軸１５ａ及び回転体１５を回転させる。この回転体１５の回転に伴い、その回転中心から径方向にずれた位置にベアリング２１にて支持された施術子２０は、その回転中心周り（第１回転軸１５ａ周り）を周回するように動作する。またこのとき、施術子２０の各突起２２の先端部２２ａに設けた凹部２２ｂが頭皮に密着するため、人の手のマッサージのような施術子２０の周回運動が頭皮側に効率的に伝達され、頭皮に効果的な刺激を付与することができるようになっている。
【００２３】
次に、本実施形態の特徴的な作用効果を記載する。
（１）本実施形態では、モータ１２の駆動に基づいて回転する回転体１５（第１回転軸１５ａ）に対し、その回転軸中心周り（第１回転軸１５ａ周り）を４つの突起２２が周回するように施術子２０が回転体１５の回転中心から径方向にずらして回転自在に設置される。そして、突起２２の先端部２２ａが使用者の頭皮に密着する密着手段として、突起２２の先端部２２ａに設けられた凹部２２ｂが設けられるため、突起２２の先端部２２ａと頭皮との密着性が高まる。この突起２２の先端部２２ａを頭皮に密着させながら回転体１５の回転軸中心周り（第１回転軸１５ａ周り）を突起２２が周回するように円運動を行うことで、施術子２０の運動を頭皮側に効率的に伝達でき、頭皮に効果的な刺激を付与することができる。
【００２４】
（２）本実施形態では、突起２２の先端部２２ａに設けられた凹部２２ｂによる吸着構造にて、頭皮と密着するように構成されている。このため、突起２２の吸着により頭皮に対する密着性が増し、より効果的な刺激を頭皮に付与することができる。
【００２５】
尚、本発明の実施形態は、以下のように変更してもよい。
・上記実施形態では、突起２２を略円柱状に構成したが、形状はこれに限らず、例えば図３に示すように突起２２を先細形状にて構成してもよい。この構成によれば、使用者の髪を掻き分けて頭皮に到達し易くなり、より好適に突起２２の先端部２２ａを頭皮に密着可能となる。本実施形態においては、突起２２の先端部２２ａの直径は約５ｍｍとしたが、これに限らず例えば３〜２０ｍｍの間で適宜変更してもよく、またこれ以外でもよい。
【００２６】
・上記実施形態では、突起２２は一様の弾性体にて構成されたが、例えば図４（ａ）に示すように、突起２２の先端部２２ａを突起２２の本体部２２ｃよりも軟性の弾性体にて構成してもよい。具体的に、突起２２の先端部２２ａをゴム硬度３０のエラストマーにて構成し、本体部２２ｃをゴム硬度６０のエラストマーにて構成する。尚、先端部２２ａのゴム硬度を２０〜４０の間で適宜変更してもよく、またこれ以外でもよい。また本体部２２ｃのゴム硬度は先端部２２ａのゴム硬度より硬ければよく、例えばゴム硬度を５０〜８０の間で適宜変更してもよく、またこれ以外でもよい。この構成によれば、図４（ｂ）に示すように頭皮に突起２２が接触すると、弾性変形により先端部２２ａが潰れて突起２２の先端部２２ａと頭皮との接触面が増加して、より頭皮に対する密着性が増し、突起２２が好適に頭皮に密着可能となる。また、同図４のように突起２２を先細形状にすることが可能となるため、突起２２が使用者の髪を掻き分けて頭皮に到達し易くなり、頭皮に対する密着性をさらに高めることが期待できる。
【００２７】
・上記実施形態では、突起２２に凹部２２ｂを設けた吸着構造としたが、例えば図５に示すように、使用者の頭皮に吸着するように吸引手段としてポンプ３０を施術子２０内に設けてもよい。すなわち、突起２２に吸引口２２ｄを設け、この吸引口２２ｄは流通路３１を介してポンプ３０に接続されている。ポンプ３０が電源部１４等からの電源供給に基づいて駆動されると、突起２２の吸引口２２ｄから空気が吸引され、流通路３１を介してポンプ３０の排気口３０ａから排出されることで、突起２２に吸引口２２ｄ付近が頭皮に吸着（密着）する。これにより、突起２２と頭皮との密着性が増し、より効果的な刺激を頭皮に付与することが可能となる。因みに、ポンプ３０を本体側であるハウジング１０内に収容してもよい。
【００２８】
また、突起２２に凹部２２ｂを設けたり、ポンプ３０を用いて頭皮との吸着を図る構成としたが、突起２２の先端部２２ａを密着性の高い形状、材質で形成し、必ずしも吸着させる構成としなくてもよい。
【００２９】
・上記実施形態では、施術子２０を１つ設けた構成としたが、施術子２０を２つ以上設けて頭皮ケア装置１を構成してもよい。
・上記実施形態では、１つの施術子２０に４つの突起２２を備えたが、数はこれに限らず適宜変更してもよい。
【００３０】
・本実施形態では、回転体１５の第１回転軸線Ｌ１と施術子２０の第２回転軸線Ｌ２との間を約５ｍｍに設定したが、これに限らず、例えば２〜８ｍｍの間で適宜変更してもよく、またこれ以外でもよい。
【００３１】
・本実施形態では、突起２２の高さを１０ｍｍに設定したが、これに限らず、例えば５〜１５ｍｍの間で適宜変更してもよく、またこれ以外でもよい。
【符号の説明】
【００３２】
１…頭皮ケア装置、１２…モータ（駆動源）、１５…回転体、１５ａ…第１回転軸、２０…施術子、２２…突起、２２ａ…先端部、２２ｂ…凹部（密着手段）、２２ｃ…本体部、２２ｄ…吸引口（密着手段及び吸引手段）、３０…ポンプ（密着手段及び吸引手段）、Ｌ１，Ｌ２…回転軸線。
【図１】
2011115379.tif 000003
【図２】
2011115379.tif 000004
【図３】
2011115379.tif 000005
【図４】
2011115379.tif 000006
【図５】
2011115379.tif 000007